(57)【要約】  【課題】  機器の収納や点検時に、開放した扉が風圧等により勝手に閉じたりせず、効率良く作業ができる機器収納箱を提供する。  【解決手段】  開閉自在に軸支された扉３を有する箱体１の上面および両側面と、扉３の前面とにそれぞれ取付部材８を介して日除け板４、５、６、７を設け、扉３を開放したとき隣接する扉３の日除け板７と箱体１の日除け板６のうち、例えば、扉３の日除け板７に設ける取付部材８への取付用の取付孔を長孔７ａにし、日除け板７の位置を移動できるようにするとともに、同日除け板７の端部に箱体１の日除け板６の端部に重なり合って係止する係止片７ｂを形成した構成とし、扉３を９０°開放したときに日除け板７を日除け板６の方向に移動させて係止片７ｂを日除け板６の端部の背面側に重ね合わせることにより、風圧等によって生ずる扉３の動きを規制できる。【選択図】  図１
2007208072.tif 000002
【特許請求の範囲】
【請求項１】
開閉自在に軸支された扉を有する箱体と、少なくとも、前記扉の前面と、前記扉を開放したときに前記扉の前面と隣り合わせになる前記箱体の面にそれぞれ立設される取付部材と、同取付部材に取付けられる日除け板とからなり、前記扉または前記箱体の日除け板は前記取付部材を介して位置を移動できるように取付けられ、一方の日除け板を相手側の日除け板の方向に移動させ、それぞれの日除け板の端部同士を重ね合わせることにより、開放中の前記扉を規制させるようにしたことを特徴とする機器収納箱。
【請求項２】
前記位置を移動できるように取付けられる日除け板は前記取付部材へ取付けるための取付孔を備え、同取付孔を長孔に形成してなる請求項１記載の機器収納箱。
【請求項３】
前記扉または前記箱体の日除け板の端部に、段差部を形成してなる請求項１または２記載の機器収納箱。
【発明の詳細な説明】
【技術分野】
【０００１】
本発明は、屋外に設置して通信設備機器等を収納する機器収納箱に係わり、詳しくは、機器の設置、保守、点検等の作業をしやすくするための構造に関する。
【背景技術】
【０００２】
通信設備機器等を収納する屋外設置の機器収納箱には、その前面側に開閉可能な扉が取付けられているが、風の影響を受けやすい場所では、機器の設置、保守、点検等の作業中に、開けていた扉が勝手に閉まるなどして作業に不都合を及ぼすことがある。このような問題を解消できる機器収納箱としては、例えば図５に示すようなものがある。この機器収納箱は、前面側が開口する箱体２１と、箱体２１の天井面および底面の一側部に位置して箱体２１の奥行き方向に伸長するレール２２と、レール２２上を移動するローラ２３を有して箱体２１内に収納される補助扉２４と、補助扉２４の一端部に蝶番２５により回動可能に取付けられて箱体２１の開口部を開閉する本体扉２６等から成り、箱体２１の左右両側面には側面化粧板２７を取付けるようになっており、本体扉２６の開放操作では、本体扉２６を蝶番２５を軸心として９０°回動した後、補助扉２４を箱体２１の奥行き方向に移動させて、本体扉２６を箱体２１に収納するように構成（例えば、特許文献１参照）されており、補助扉２４と共に本体扉２６の一部が箱体２１内で保持されるので、本体扉２６が風の影響で勝手に閉まることはない。
【０００３】
【特許文献１】特開平１０−２４３５０６号公報（第３頁、図１）
【発明の開示】
【発明が解決しようとする課題】
【０００４】
しかしながら、上記構成のものでは、補助扉２４と共に本体扉２６が箱体２１内で保持され、本体扉２６が風の影響で勝手に閉まることを防止できるが、箱体２１内の上下それぞれにレール２２を必要とし、また、扉は蝶番２５でつながれた補助扉２４と本体扉２６とから成り、補助扉２４には複数のローラ２３が必要であるなど、部品が多くて組立が複雑かつ面倒であり、コスト高になるという問題があった。また、箱体２１には補助扉２４等を収納するスペースを必要とするため、機器の収納スペースが小さくなってしまうという問題点があった。したがって、本発明においては上記問題点に鑑み、開放中の扉が風の影響で勝手に閉まることを防止するために、より簡単で安価な構成にするとともに、箱体内を機器の収納に有効的に利用できるようにした機器収納箱を提供することを目的としている。
【課題を解決するための手段】
【０００５】
本発明は上記の課題を解決するためになされたものであり、開閉自在に軸支された扉を有する箱体と、少なくとも、前記扉の前面と、前記扉を開放したときに前記扉の前面と隣り合わせになる前記箱体の面にそれぞれ立設される取付部材と、同取付部材に取付けられる日除け板とからなり、前記扉または前記箱体の日除け板は前記取付部材を介して位置を移動できるように取付けられ、一方の日除け板を相手側の日除け板の方向に移動させ、それぞれの日除け板の端部同士を重ね合わせることにより、開放中の前記扉を規制させるようにした構成とする。
【０００６】
また、前記位置を移動できるように取付けられる日除け板は前記取付部材へ取付けるための取付孔を備え、同取付孔を長孔に形成してなる構成とする。
【０００７】
また、前記扉または前記箱体の日除け板の端部に、段差部を形成してなる構成とする。
【発明の効果】
【０００８】
本発明の構成からなる機器収納箱では、少なくとも、扉の前面と、扉を開放したときに扉の前面と隣り合わせになる箱体の面にそれぞれ立設される取付部材と、取付部材に取付けられる日除け板によって、扉または箱体の日除け板が取付部材を介して位置を移動できるように取付けられ、一方の日除け板を相手側の日除け板の方向に移動させ、それぞれの日除け板の端部同士を重ね合わせるようにしているので、扉の動きが規制され、開放中の扉が風の影響等により勝手に閉まるような不都合は起きなくなるとともに、日除け板の位置を移動できるようにするために高価な部材等は要らず、取付部材への取付用として日除け板に設けられる取付孔を、相手側の日除け板の方向に長くした長孔にするだけで済むのでコストアップにはならず、また、箱体内部にも何ら手を加える必要がないので箱体内部を機器の収納に有効利用でき、使い勝手の良い機器収納箱となる。
【発明を実施するための最良の形態】
【０００９】
以下、本発明の実施の形態を、添付図面に基づいて説明する。
【実施例１】
【００１０】
図１は第１の実施の形態を示す機器収納箱の構成斜視図、図２はその要部を示す上面図である。この機器収納箱は、前面が開口する直方体形状の箱体１と、同箱体１の開口側に例えば図２に示すような蝶番２を介して開閉自在に軸支された扉３と、箱体１内の温度上昇を抑えるために、同箱体１の上面および両側面と、扉３の前面とにそれぞれ所定の空隙を形成するように設けられた４枚の日除け板４、５、６、７等から成り、箱体１内には中継器、制御盤、電源機器等を配設する棚が設けられている。
【００１１】
日除け板４、５、６はそれぞれ箱体１の上面および両側面に立設された複数の取付部材８に取付けられ、扉３の前面の日除け板７は扉３の前面に立設された複数の取付部材８に取付けられ、横方向へ位置の移動ができるようになっている。この扉３の前面の日除け板７には同日除け板７を箱体１の右側面の日除け板６に向けて移動できるようにするための長孔７ａが形成されている。扉３は少なくとも９０°開放できるようになっており、扉３を開放したときに箱体１の右側面の日除け板６に隣接する扉３の前面の日除け板７の右端部には、同日除け板７を相手側の日除け板６の方向に移動させたとき、日除け板６の左端部の背面側に進行するように段差部としての係止片７ｂが形成されている。また、日除け板７と同日除け板７を取付けている取付部材８との間には、樹脂からなるワッシャ９を介在させて日除け板７の動き（位置の移動）を容易にするとともに、同ワッシャ９の摩擦力を利用して日除け板７の位置が簡単にずれないようにしている。
【実施例２】
【００１２】
図３は第２の実施の形態を示したもので、前者との違いは、扉３の前面の日除け板７Ａは固定したままにしておき、扉３を開放したとき日除け板７Ａが隣接する箱体１の右側面の日除け板６Ａに、同日除け板６Ａを扉３の前面の日除け板７Ａに向けて移動できるようにするための長孔６ａを設けたことである。なお、日除け板６Ａと同日除け板６Ａを取付けている取付部材８との間には、樹脂からなるワッシャ９を介在させた形態になっている。
【００１３】
以上説明したような形態であれば、実施例１、２のいずれにおいても、扉３を開放したときに隣接する扉３の前面の日除け板７と箱体１の右側面の日除け板６の何れか一方に長孔７ａ（６ａ）等からなる位置移動手段を設けて、一方の日除け板を相手側の日除け板に向けて移動させ、両日除け板６、７の端部同士を重ね合わせることで扉の動きが規制されるので、開放中の扉３が風の影響等により勝手に閉まるような不都合は起きなくなり、機器の収納や点検等の作業が楽に行える。
【００１４】
なお、実施例１、２のいずれにおいても、扉３の日除け板７（７Ａ）に係止片７ｂを設けた形態になっているが、これに限定するものではなく、開放中の扉３の動き（閉まり）を規制できる形態であれば、箱体１の右側面の日除け板６（６Ａ）に係止片を設けたものであってもよい。
【００１５】
また、実施例１、２のいずれにおいても、扉３の日除け板７（７Ａ）の係止片７ｂの形成のように段差部を設けるようになっているが、これに限定するものではなく、段差部を必要としない構成として、例えば、図４に示すように、扉３を９０°開放したときその扉３の前面の日除け板７よりも箱体１の右側面の日除け板６が手前（扉３とその日除け板７間の空隙よりも箱体１の側面とその日除け板６間の空隙が大）になるように箱体１に設けた取付部材８を扉３に設けた取付部材８よりも長くした構成であってもよい。
【００１６】
更に、実施例１、２のいずれにおいても、扉３の前面の日除け板７（箱体１の右側面の日除け板６Ａ）の全体を、相手側の日除け板６（７Ａ）に向けて移動させるようになっているが、これに限定するものではなく、例えば、扉３の前面の日除け板７を左側と右側の２つに分割し、箱体１の右側面の日除け板６に隣接する扉３の前面の日除け板７の端部側、すなわち、分割した右側の日除け板のみを、箱体１の右側面の日除け板６に向けて移動させる構成であってもよい。
【００１７】
以上説明してきた実施の形態に限定されることなく、本発明による機器収納箱は、開閉自在に軸支された扉を有する箱体と、少なくとも、前記扉の前面と、前記扉を開放したときに前記扉の前面と隣り合わせになる前記箱体の面にそれぞれ立設される取付部材と、同取付部材に取付けられる日除け板とからなり、前記扉または前記箱体の日除け板は前記取付部材を介して位置を移動できるように取付けられ、一方の日除け板を相手側の日除け板の方向に移動させ、それぞれの日除け板の端部同士を重ね合わせることにより、開放中の前記扉を規制させるようにした構成であればよい。
【図面の簡単な説明】
【００１８】
【図１】本発明の第１の実施の形態を示す機器収納箱の構成斜視図である。
【図２】本発明による機器収納箱の要部拡大上面図で、（Ａ）は扉の開閉が自由に出来る状態、（Ｂ）は扉の前面の日除け板と箱体の右側面の日除け板の端部同士が重ね合わされ、扉の動きが規制された状態を示したものである。
【図３】本発明の第２の実施の形態を示す機器収納箱の構成斜視図である。
【図４】本発明による機器収納箱の他の要部拡大上面図で、（Ａ）は扉の開閉が自由に出来る状態、（Ｂ）は扉の前面の日除け板と箱体の右側面の日除け板の端部同士が重ね合わされ、扉の動きが規制された状態を示したものである。
【図５】従来の機器収納箱の１例を示す構成斜視図である。
【符号の説明】
【００１９】
１  箱体
２  蝶番
３  扉
４、５、６、７  日除け板
６Ａ、７Ａ  日除け板
６ａ、７ａ  長孔
７ｂ  係止片
８  取付部材
【図１】
2007208072.tif 000003
【図２】
2007208072.tif 000004
【図３】
2007208072.tif 000005
【図４】
2007208072.tif 000006
【図５】
2007208072.tif 000007